(57)【要約】【課題】ＤＴＭＦ音声信号を応用した信号入力機能を持つ機器・装置へのＤＴＭＦ音声入力を的確にできるようにする。【解決手段】ダイヤルキー２を備えたケース１の内蔵スピーカー４からダイヤル符号に対応したＤＴＭＦ音を出力するトーンジェネレータのスピーカー口５にマイク７を取り付け、そのマイク７を取り付けたスピーカー口５全体を覆うキャップ６を取り付ける。また、マイク７のコード８の先端にコネクタ９を設けて入力機器のマイク入力端子に接続できるようにする。そして、そのマイク７を取り付けたスピーカー口５全体を覆うキャップ６を取り付けたことにより、マイク７への外部雑音の侵入を遮断して認識率を向上させる。さらに、キャップ６内に形成した空隙１１がＤＴＭＦ音に共鳴し、共鳴して強調されたＤＴＭＦ音がマイク７へ入力するようにして認識率を向上させる。こうして入力された信号は、被入力機器のフィルタ特性にも良く合致した信号として認識されるので、的確にＤＴＭＦ音声信号入力が入力できるようになる。【選択図】　図１
2004146899.tif 000002
【特許請求の範囲】
【請求項１】
ダイヤルキーを備えたケースにスピーカーを内蔵し、その内蔵スピーカーからダイヤルキーで選択されたダイヤル符号に対応したＤＴＭＦ音を出力するトーンジェネレータの前記ケースのスピーカー口に、マイクを取り付けるとともに、そのマイクを取り付けたスピーカー口を覆うキャップを設け、そのキャップがスピーカーから音声を拡散させずに集中させ、かつ、スピーカーから以外の音声の混入を遮断し、
一方、前記スピーカー口に取り付けたマイクのコードの先端にコネクタを設けて、入力機器のマイク入力端子に接続するようにしたトーンジェネレータを利用した信号入力装置。
【請求項２】
上記キャップ内に空隙を形成し、その空隙がスピーカーから出力されるＤＴＭＦ音に共鳴するようにした請求項１に記載のトーンジェネレータを利用した信号入力装置。
【発明の詳細な説明】
【０００１】
【発明の属する利用分野】
この発明は、ＤＴＭＦ信号を利用した機器への入力デバイスとして用いられるトーンジェネレータを利用した信号入力装置に関するものである。
【０００２】
【従来例】
ＤＴＭＦ（Ｄｕａｌ　Ｔｏｎｅ　Ｍｕｌｔｉ　Ｆｒｅｑｕｅｎｃｙ）信号は、高群周波数（１２０９Ｈｚ，１３３６Ｈｚ，１４７７Ｈｚ）と、低群周波数（６７９Ｈｚ，７７０Ｈｚ，８５２Ｈｚ，９４１Ｈｚ）の各群から周波数を一つずつ選んで組み合わせ、０から９までの数字や「＊」、「＃」などの符号を両群の組み合わせ周波数の差に変換して出力するというものである。
【０００３】
この出力される信号は、図５に示すようなＤＴＭＦ信号を利用したトーンジェネレータ（ダイヤルトーンコマンダー等とも呼ばれる）という装置によって容易に合成でき、入力後簡単なデコーダー回路とフィルタ回路とで認識・再変換することができるので、デジタル機器をはじめ従来の様々な通信機器や録音・再生装置等への簡便な操作信号入力デバイスとして、広く用いられていた。
【０００４】
このトーンジェネレータは、図６に示すように、ダイヤルキー２を備えたケース１に発振回路３とスピーカー４を内蔵し、その内蔵スピーカー４からダイヤルキー２で選択されたダイヤル符号に対応したＤＴＭＦ音を出力するようになっており、ケース１のスピーカー４を例えば、ＤＴＭＦ音の入力に対応した機器の入力用のマイクに近づけて入力する方法がよく用いられる。
【０００５】
ところが、このように、ケース１のスピーカー４を入力用のマイクに近づける方法では、ＤＴＭＦ音が外部（周囲）の音と混ざったり、スピーカー４と入力用のマイクとの距離を一定に保つことが、その方法上困難なので認識率が低下する。そのため、場合によっては、何度も入力を繰り返さければならない不便な問題がある。
【０００６】
ならば、必然的にスピーカーに代えて機器のマイク入力に直接電気信号（ＤＴＭＦ信号）を入力することが最善の策として考えられる。
【０００７】
ところが、上記のように直接電気信号を入力する方法でも、後述のように意外なことに認識率があまり良くない結果が確認された。
【０００８】
それならば、例えば通常のプッシュトーン式の電話機を直接その機器のモジュラージャックに接続し、通話中の電話機のダイヤルプッシュトーンが発するＤＴＭＦ信号を用いて入力する方法を試みた。
【０００９】
【発明が解決しようとする課題】
しかしながら、この電話機を使う方法でも、機器によってはモジュラージャックの付いていないもの（外付け電話機のつなげないもの）や、たとえ接続できても機器が作動している場合（特に、モデム等が作動していて外部と通信している場合）、機器の誤動作や通信障害を避けるため、外付けの電話機からの通話機能を一時的に使えなくしたり制限したり、あるいは機器そのものの作動を停止したりして、外部から入ってくる音声の帯域と容量をフィルタ回路等により制限しているため、上手く入力できなかった。
【００１０】
すなわち、機器側の音声フィルタ回路の特性が、外部から入って来る音声の帯域と容量を狭い領域で制限していることに問題があるものと考えられる。
【００１１】
これらの結果から、前述したように例えばトーンジェネレーターからのＤＴＭＦ音声信号をスピーカーに代えて、マイク入力に直接電気信号として入力する方法を取った場合すらも、ＤＴＭＦ信号の認識率が良くならないので、さらにそのＤＴＭＦ信号の出力容量をアンプ回路によって上げて強制的に入力しようとすれば、機器自体がオフ状態になったり誤作動を頻発したりして、そのオペレーションに悪影響さえ及ぼすことが明白に確認された。これも原因は、前述の被入力機器の入力信号フィルタ回路等による保護機能が作用しているためである。
【００１２】
そこで、この発明の課題は、入力デバイスからの入力を機器側の音声フィルタ回路の特性（一般音声の帯域と入力容量の制限）に対応して構成しながら、上手く的確に入力できるようにすることである。
【００１３】
【課題を解決するための手段】
上記の課題を解決するため、この発明では、ダイヤルキーを備えたケースにスピーカーを内蔵し、その内蔵スピーカーからダイヤルキーで選択されたダイヤル符号に対応したＤＴＭＦ音を出力するトーンジェネレータの前記ケースのスピーカー口に、マイクを取り付けるとともに、そのマイクを取り付けたスピーカー口を覆うキャップを設け、そのキャップがスピーカーからの音声を拡散させずに集中させ、かつ、スピーカーから以外の音声の混入を遮断し、一方、スピーカー口に取り付けた前記マイクのコードの先端にはコネクタを設けて、入力機器のマイク入力端子に直接続するようにした構成を採用したのである。
【００１４】
このような構成を採用することにより、トーンジェネレータ側のスピーカーから出力されるＤＴＭＦ音そのものが、そのスピーカー口の適当な所（この位置は適宜実験などによって最適な位置を選ぶ）に取り付けたマイクで能率よく的確に採取され機器側へ入力される。
具体的には、このマイクには、例えば適当な小型（マイクロ）コンデンサマイクを使用して、それをアンプ回路を介さずに直接機器側のマイク入力端子（通常この端子には、電流５〜１０ｍＡ、電圧３〜５Ｖ程度の電力が流れている）に接続する。このとき、前記トーンジェネレータのスピーカーから出力されるＤＴＭＦ音声信号は、スピーカー口に直接的に取り付けられてさらにキャップで囲われているマイクから、非常に小さな出力（通常５０ｍＷ以下）ながらも、よく集中されたピュアでクリアな信号としてすみやかに機器側へ入力される。その結果、こうしてマイクから機器側へ入力される信号は、機器内部のフィルタ回路の特性によく合致したものとして殆んど支障なく速やかに認識されることができるのである。
【００１５】
また、このとき、スピーカー口を覆うキャップは、前述した通り、マイクへの外部雑音の侵入を遮断するので、ＤＴＭＦ音声が出力されない場合はスピーカー口でのキャップ内音声は殆んど出力が０となる。そのことも機器側の音声フィルタ回路のもう一つの特性に起因する問題点〔ある一定の連続音（周辺のノイズ等）が認識されている場合、他の音声（特に、その連続音より小さな出力の音声）に対する認識率が非常に低下するという特性〕を克服して、さらに認識率を向上させることができる。
【００１６】
さらに、このとき、上記キャップ内に空隙を形成し、その空隙がスピーカーから出力されるＤＴＭＦ音声を拡散させずに集中させさらに共鳴するようにした構成を採用することにより、閉塞空間での音声の共鳴作用によって、その閉塞空間中に唯一存在する集音機能（マイク）へのＤＴＭＦ信号が選択的に強調されることになり、そのマイクが集音して機器側に送るＤＴＭＦ信号は前述のように非常に小さい（通常５０ｍｗ以下）にもかかわらず、それを入力する側の機器はよく集中されたピュアでクリアな音声として採取することができる。この事実が結果として被入力機器側でのＤＴＭＦ信号としての認識率を飛躍的に向上させることができるのである。
【００１７】
【発明の実施の形態】
以下、この発明の実施の形態を図面に基づいて説明する。
【００１８】
この形態のトーンジェネレータは、図１及び図２に示すように、ケース１にキャップ６が取り付けられ、そのキャップ６にマイクコード８をつなげた形状となっている。
【００１９】
ちなみに、上記トーンジェネレータは、技術基準に適合したＤＴＭＦエンコーダを備えたリモートコントローラまたはトーンダイヤラーと呼ばれているものと同一のものである。
【００２０】
上記ケース１は、上部材と下部材の二つの部材を嵌め合わせて形成したハンディタイプのもので、ケース１の上面にはダイヤルキー２が設けられている。
【００２１】
ダイヤルキー２は、０から９までの数字と「＊」、「＃」の記号からなる１２個の符号キーからなり（「Ａ」、「Ｂ」、「Ｃ」、「Ｄ」の記号を加えた１６個の符号キーのものでも可）、符号キーには、例えば、テンキーと同じシリコンゴムを用いたものや薄膜構造を特徴とするメンブレンスイッチなどを用いることができる。
【００２２】
また、ケース１は、図２に示すように、従来のものと同様、ダイヤルキー２と接続された発振回路３とスピーカー４を内蔵するとともに、電池収納部１０が設けられている。
【００２３】
発振回路３は、ＤＴＭＦ信号の低群周波数及び高群周波数を発振するための時定数回路を備えたもので、内蔵スピーカー４を駆動するための増幅回路を備えている。
【００２４】
内蔵スピーカー４は、図２に示すように、開口を下向きにしてケース１のスピーカー口５の内側に取り付けられており、このスピーカー口５の外側（内側でも可）に、マイク７が取り付けられている。マイク７は、ここでは、接着剤や粘着剤などで固定してあり、このマイク７には、形状が小さく軽くて、感度のよい適当なマイクロコンデンサマイク（接続する機器に対応した電圧規格のもの）をアンプ回路などを介さずに直接使用している。
【００２５】
一方、キャップ６は、スピーカー口５の全体を覆う形状のもので、図２に示すように、スピーカー口５に接着剤で取り付けられている（ここでは、接着剤で固定したものを示したが、これに限定されるものではなく、例えば、嵌合できるようにしたり、ネジ止めなどができるようにしてもよい）。
【００２６】
このように取り付けられたキャップ６は、スピーカー口５との間に図２に示すように空隙１１を形成し、その空隙１１がスピーカー４から発せられるＤＴＭＦ音声（通常、６００Ｈｚ〜１５００Ｈｚの周波数帯）と共鳴するようにしてある。また、キャップ６の周縁に、切欠を設けてマイクコード８を通すようになっており、コード８の先端には入力機器との接続コネクタ（ここでは、ミニジャックを使用しているがこれに限定されるものではない）９が取り付けられている。
【００２７】
この形態は、以上のように構成されており、本発明のトーンジェネレータ入力装置は、例えば図３（ａ）、（ｂ）に示すような端末装置（一般には、テレビ電話またはテレビ会議システムと呼ばれている）２０ａ、２０ｂへのＤＴＭＦ信号の入力機器として使用することができる。
【００２８】
この端末装置２０ａ、ｂは、図４に示すように、公衆電話網Ｎやモバイル網と接続された相手側のコントロール装置２１を介して、現場の接続カメラ１２、各種電気設備のスイッチを入・切する電源リレー、各種映像・音声用モデム（又は、トランスミッター）と各種セキュリティーアラームシステム及びその他の遠隔操作機能（例えば、エアコンの温度調節機能やビデオあるいはコンピュータのオペレーション機能）と接続され、テレビ対話システムや遠隔監視システム及びホームオートメーションあるいはセキュリティーシステムを構成する。
【００２９】
端末装置２０ａは、図３に示すように、液晶表示装置２２を備えたもので、テレビ電話、または、テレビ会議システムの端末としても使用できるようになっている。そのため、ダイヤルキー２と内蔵カメラ２３及び内蔵マイク２４を備えている。また、外部入出力として、マイク入力（本願を接続する）の他、映像と音声の入出力と電話回線用のコネクタが設けられており、内蔵したモデム（又はトランスミッター）によって動画データと音声データを双方向にやり取りできるようになっている。同様に、端末装置２０ｂもテレビ電話の端末として使用できる携帯電話で、カメラ２３、音声入出力端子及びマイク入力（本願を接続する）を有し、携帯電話基地局を介して動画データと音声データを双方向にやり取りできるようになっている。
【００３０】
一方、コントロール装置２１は、図４に示すように、カメラ１２（複数）を接続するための複数のＡＶ（映像・音声）入力とスピーカー出力、マイク入力やモニタ用のＡＶ（映像・音声）出力の他、各種リモートコントロール信号出力、リレー付電源出力やアラームシステムのセンサ用インターフェース、そして、電話回線用のコネクタ及びモバイル用無線アンテナを備えたもので、この複数のＡＶ入力とマイク入力を切り換えて動画データと音声データを内蔵のモデムを介して送受信し、複数箇所の監視や電気器具を操作したり、アラームシステムの管理などができるようになっている。
【００３１】
このコントロール装置２１の全ての遠隔操作は、端末装置２０からコントロール装置２１へＤＴＭＦ信号によるコマンドを送信することで可能になっており、端末装置２０に付加した通常のプッシュトーン式の電話機のキーパッドから直接あるいは、それが不可能な場合は、端末装置２０の内蔵マイク２４にトーンジェネレータ（携帯電話などのＤＴＭＦ音を発生させることのできるものであれば可）からの、いわゆる、プッシュトーンシグナルを発信して（従来していたように）ＤＴＭＦ音声信号を入力するものであった。
【００３２】
そのため、内蔵マイク２４に代えて、本発明のトーンジェネレータの接続コネクタ９を端末装置２０の外付けマイク入力に接続した。
【００３３】
すると、本発明のトーンジェネレータ入力装置のスピーカー４から出力されるＤＴＭＦ音を、スピーカー口５に取り付けたマイク７がダイレクトに拾うので、ノイズなどが入り難い。また、入力される信号は、マイク７がダイレクトに拾った適正容量のＤＴＭＦ音声信号として入力機器のフィルタ回路の特性に合致しており、（音声フィルタ回路の音声帯域と入力容量の制限）、さらに、キャップ６による外部音の遮断とキャップ６内に形成された空隙１１によるＤＴＭＦ音声への共鳴とにより、選択的に、ＤＴＭＦ信号の低群周波数及び高群周波数が明瞭に強調され、的確な信号となってマイク７に入力される。この結果、認識率を大幅に向上させることができる。
【００３４】
このため、信号の認識率が向上したことにより、一度の操作で的確に間違いなくコントルール装置２１の遠隔操作等のための信号入力作業を実行させることができた。
【００３５】
なお、この形態では、本願発明のトーンジェネレータ入力装置を遠隔監視システムの遠隔操作の入力手段として用いたものを示したが、これに限定されるものではない。これ以外にも例えば、テレビ電話の画面切り換えや他のデジタル機器の入力手段として用いることができる。
【００３６】
また、この形態では、信号入力装置のマイクにコンデンサマイクを使用したものを示したが、これに限定されるものではなく、大きさと出力及び出力周波数の帯域が合致するものであれば、どのような形態のものでも良い。
【００３７】
【発明の効果】
この発明は、以上のように構成したことにより、ＤＴＭＦ音によって入力された信号の認識率を向上させることができるので、入力を上手く行うことができる。
【図面の簡単な説明】
【図１】実施形態の斜視図
【図２】図１の断面図
【図３】端末装置の斜視図
【図４】システムの構成図
【図５】従来例の斜視図
【図６】図５の断面図
【符号の説明】
１　ケース
２　ダイヤルキー
４　スピーカー
５　スピーカー口
６　キャップ
７　マイク
８　マイクコード
９　接続コネクタ
１１　空隙
【図１】
2004146899.tif 000003
【図２】
2004146899.tif 000004
【図３】
2004146899.tif 000005
【図４】
2004146899.tif 000006
【図５】
2004146899.tif 000007
【図６】
2004146899.tif 000008